【手続補正書】
【提出日】平成15年9月22日(2003.9.22)
【手続補正１】
【補正対象書類名】明細書
【補正対象項目名】全文
【補正方法】変更
【補正の内容】
【発明の名称】手乾燥装置
【特許請求の範囲】
【請求項１】フロントケース内に収納された送風手段および発熱手段と、前記フロントケースの下部に設けた送風吹出ノズルと、この送風吹出ノズルの下方に乾燥空間を介して設けた断面凹形状の水受け皿と、この水受け皿の前部および左右側部に突設した突出壁と、前記水受け皿は中央が高く左右が低い傾斜で吹出空気流を分け、前記水受け皿の後部より前記フロントケースの下端後部を繋ぐ後面壁を有してなる手乾燥装置。
【請求項２】送風吹出ノズルをフロントケースの下部より突設し、前記送風吹出ノズルに所定巾のはねかえり防止帯を一体に形成した請求項１記載の手乾燥装置。
【請求項３】水受け皿表面の左右に水抜き穴を形成するとともに、水受け皿表面の中心から水抜き穴まで傾斜面としてなる請求項１または請求項２記載の手乾燥装置。
【請求項４】水受け皿の前部突出壁の内側に突起帯を設けてなる請求項１〜３のいずれかに記載の手乾燥装置。
【発明の詳細な説明】
【０００１】
【発明の属する技術分野】
本発明は、洗面所やトイレ等にて手を洗い、濡れた手を温風にて乾燥させる手乾燥装置に関するものである。
【０００２】
【従来の技術】
従来、この種の手乾燥装置では、トイレを使用した後や汚れた手を洗った後、ハンカチやタオルを使用せず、またハンカチなどを収納しているポケットを濡らすことなく、手を乾燥させる送風式の手乾燥装置が実用に供されている。
【０００３】
この手乾燥装置は、送風手段と発熱手段を内蔵し、手検出手段により差し出された手を検出したとき運転を開始し、濡れている手の表面に温風を当てて水滴を吹き飛ばすとともに手の表面を乾燥させるものである。
【０００４】
【発明が解決しようとする課題】
このような従来の手乾燥装置においては、手に付着している水滴を吹き飛ばすときに、衣服に水滴が付き不愉快感を生じたり、床や壁面が汚れてしまうため、送風吹出ノズルの下方に水滴を受ける水受け皿を配置したものがあるが、水受け皿に溜まった水滴が吹出風とともに、使用者側に飛散したり、周辺に多量の水滴が飛び散るという課題があり、使用者側へ水滴が飛散しないようにするとともに、飛散量を少なくすることが要求されている。
【０００５】
本発明は、このような従来の課題を解決するもので、使用者側への水滴の飛散を防止したり、周辺への飛散量を少なくできる手乾燥装置を提供することを目的としている。
【０００６】
【課題を解決するための手段】
本発明の手乾燥装置は上記目的を達成するために、フロントケース内に収納された送風手段および発熱手段と、前記フロントケースの下部に設けた送風吹出ノズルと、この送風吹出ノズルの下方に乾燥空間を介して設けた断面凹形状の水受け皿と、この水受け皿の前部および左右側部に突設した突出壁と、前記水受け皿は中央が高く左右が低い傾斜で吹出空気流を分け、前記水受け皿の後部より前記フロントケースの下端後部を繋ぐ後面壁を有してなるものである。
【０００７】
本発明によれば水受け皿に溜まった水滴が周辺に飛散するのを少なくする手乾燥装置を得ることができる。
【０００８】
また、他の手段は、送風吹出ノズルをフロントケースの下部より突設し、前記送風吹出ノズルに所定巾のはねかえり防止帯を一体に形成したものである。
【０００９】
そして本発明によれば水受け皿に溜まった水滴が送風吹出ノズルの左右から前面に向かって飛散するのを防止する手乾燥装置を得ることができる。
【００１０】
また、他の手段は、水受け皿表面の左右に水抜き穴を形成するとともに、水受け皿表面の中心から水抜き穴まで傾斜面としたもので、風の流れを外方に案内するようにしたものである。
【００１１】
そして本発明によれば水受け皿の水滴が周辺に飛散するのを少なくする手乾燥装置を得ることができる。
【００１２】
また、他の手段は、水受け皿の前部突出壁の内側に突起帯を設け、吹出流と合流する方向に向くようにしたものである。
【００１３】
そして本発明によれば水滴が水受け皿の表面に沿って前面に飛散するのを防止する手乾燥装置を得ることができる。
【００１４】
【発明の実施の形態】
本発明は、フロントケース内に収納された送風手段および発熱手段と、前記フロントケースの下部に設けた送風吹出ノズルと、この送風吹出ノズルの下方に乾燥空間を介して設けた断面凹形状の水受け皿と、この水受け皿の前部および左右側部に突設した突出壁と、前記水受け皿は中央が高く左右が低い傾斜で吹出空気流を分け、前記水受け皿の後部より前記フロントケースの下端後部を繋ぐ後面壁を有する構成により、水受け皿に溜まった水滴は、後面壁に吹き付けられ三方に設けた突出壁を超えて周辺に飛散するのを少なくするという作用を有する。
【００１５】
また、送風吹出ノズルをフロントケースの下部より突設し、前記送風吹出ノズルに所定巾のねかえり防止帯を一体に形成することにより、水受け皿に溜まった水滴が吹出風とともに、水受け皿の後面壁から上面壁を伝って送風吹出ノズルの左右から前面に向かって飛
散するのを防止するという作用を有する。
【００１６】
また、水受け皿表面の左右に水抜き穴を形成するとともに、水受け皿表面の中心から水抜き穴までを傾斜面として構成することにより、水受け皿に付着した水滴は、表面の傾斜に沿って左右方向に分かれ、さらに風の力で外方にスムースに流れて水抜き穴に案内されるため、水受け皿に溜まる水滴は少なくなり周辺に飛散する水滴を少なくできるという作用を有する。
【００１７】
また、水受け皿の前部突出壁の内側に突起帯を設けた構成にすることにより、突出壁に沿って水滴が前面の使用者側に飛散するのを防止するだけでなく、空気流の向きを送風吹き出しノズルの流れに合流する方向に変更することにより、水受け皿の内部で旋回流を生成して、水受け皿から周囲に漏れる風量は少なくなり、風に乗って周囲に飛散する水滴を少なくするという作用を有する。
【００１８】
以下本発明の実施例について、図面を参照しながら説明する。
【００１９】
【実施例】
（実施例１）
図１〜図３に示すように、壁面に固定された本体１は、フロントケース２および下部に突設した水受け皿３で構成され、フロントケース２と水受け皿３の間に乾燥空間２ａを形成している。フロントケース２内には送風手段４、発熱手段５および制御手段８を設け、フロントケース２の下端部には送風吹出ノズル６を乾燥空間２ａおよび水受け皿３に向けて設置している。水受け皿３の前部および左右側部の三方には突出壁７を一体に形成している。また水受け皿３の後部より前記フロントケース２の下端後部に至る後面壁９を設け、滑らかな表面で繋げるとともに、水受け皿３の左右後部に設けた突出壁７は後面壁９およびフロントケース２の下端後部まで連続して延設している。送風吹出ノズル６の近傍には乾燥空間２ａ内に差し出した手を検知する検知手段１０を設け、前記制御手段８は検知手段１０の検知信号を受けて送風手段４および発熱手段５を駆動制御している。
【００２０】
送風手段４はモータ４ａにより回転駆動されるブロワー４ｂを備え、この送風手段４と送風吹出ノズル６との間には発熱手段５としてＰＴＣヒータ５ａ，５ｂを配設している。ＰＴＣヒータ５ａ，５ｂと並列にバイパス風路１１を併設した発熱体収納枠１２を設け、下流側には送風吹出ノズル６を連通して設けている。
【００２１】
水受け皿３は断面凹形状の曲面を有するように皿状に形成され、この水受け皿３の最底部には水抜き穴１３が設けられている。水受けカップ１４は水抜き穴１３の下に位置し、水受け皿３に着脱可能に取り付けられている。なお、本体１は取付金具１５をねじ等の固定具１６にて洗面所等の壁面に固定され、本体１の後部側には下方に吸気口１７を有する吸気通路１８が形成され、送風手段４の空気吸込部分となる。また、本体１から発生する騒音を下げるため、送風手段４の周囲には吸音材１９が設けられている。
【００２２】
上記構成において、送風吹出ノズル６の下方に手が差し込まれると、検知手段１０が手を検知してその検知出力がオンとなり、制御手段８を介して送風手段４と発熱手段５を動作させて、送風吹出ノズル６より温風を送出する。送風吹出ノズル６より送出された風は水滴とともに水受け皿３に沿って流れるが、水受け皿３の前面および左右に設けられた突出壁７に阻まれて周辺に拡散せずに後面壁９の方向に案内され、後面壁９を下から上へと流れ、乾燥空間２ａ内で旋回流を生成することにより水受け皿３の周辺に漏れ出る風は少なくなる。したがって濡れた手から分離した水滴や水受け皿３に溜まった水滴が、風とともに水受け皿３の周辺に飛散するのを少なく抑えることができる。
【００２３】
（実施例２）
図１〜図３に示すように、フロントケース２の下端部には送風吹出ノズル６を乾燥空間２ａおよび水受け皿３に向けて突設している。送風吹出ノズル６の左右には、はねかえり防止帯６ａ，６ｂを延設し、乾燥空間２ａ内で生成した旋回流が送風吹出ノズル６の左右から漏出しないようにしている。
【００２４】
上記構成において、送風吹出ノズル６から吹き出した温風は手に付着した水滴を分離するとともに手を乾燥する。さらに温風は水受け皿３から後面壁９に沿って旋回して送風吹出ノズル６に至るが、送風吹出ノズル６と左右のはねかえり防止帯６ａ，６ｂに衝突して風速が低下し、さらに風向が下向きに変えられて送風吹出ノズル６の吹き出し温風とともに乾燥空間２ａに送り込まれる。このとき温風に搬送されていた水滴は送風吹出ノズル６とはねかえり防止帯６ａ，６ｂに遮られて、前方向に飛散することがなく特に使用者の顔面や衣服に付着することが防止できる。
【００２５】
（実施例３）
図１〜図３に示すように、送風吹出ノズル６の下方に設けた水受け皿３の左右対象位置に、一対の水抜き穴１３を形成するとともに、水受け皿３の表面を中心から水抜き穴１３に至るまで左右に傾斜させている。また水抜き穴１３の下部に水滴を集めて貯える水受けカップ１４を着脱可能に設けている。
【００２６】
上記構成において、送風吹出ノズル６より送風された温風の勢いで手に付着していた水滴を分離し水受け皿３で受け止める。水受け皿３の表面は図３に示すように、中央が高く左右が低い傾斜をもち、最底部には水抜き穴１３を形成しているため、水滴と風の流れが外方に案内されるようなっている。したがって、水受け皿３の水滴は、表面の傾斜と風力で外方に流されて水抜き穴１３から水受けカップ１４にスムースに流入され、水受け皿３の表面に残る水滴量を減らして、周囲への水滴の飛散量を少なくすることができる。
【００２７】
（実施例４）
図１〜図３に示すように、水受け皿３の前部突出壁７の内側に突起帯２０を設け、突起帯２０の突き出し方向は送風吹出ノズル６の吹き出し流に交差する方向に設けている。
【００２８】
上記構成において、送風吹出ノズル６より送風された温風は水受け皿３の表面で分かれて、前面側に向かう空気流ができる。この空気流に押されて水受け皿３の表面を移動する水滴は突起帯２０に遮られて前面方向への飛散が防止できる。またこの空気流は突起帯２０によって流れの方向が変えられ、送風吹出ノズル６からの吹出流に巻き込まれるように水受け皿３内の前面側で小さな旋回流を生成する。
【００２９】
したがって前面側への空気流に押された水滴は、突起帯２０により遮断されて前面の使用者側に飛散するのを防止できるとともに、送風吹出ノズル６の吹出流と合流して水受け皿３内の前面側で小さな旋回流を生成することにより、風に乗って周囲に飛散する水滴量を減らすことができる。
【００３０】
【発明の効果】
以上の実施例から明らかなように、水受け皿の前部および左右側部に突設した突出壁と、この水受け皿の後部よりフロントケースの下端後部を繋ぐ後面壁を設けた構成により、乾燥空間内に旋回流を生じて水受け皿に溜まった水滴が周辺に飛散するのを少なくする効果のある手乾燥装置を提供できる。
【００３１】
また、送風吹出ノズルをフロントケースの下部より突設し、前記送風吹出ノズルの左右にはねかえり防止帯を一体に形成することにより、水受け皿に溜まった水滴が送風吹出ノズルの左右から前面に向かって飛散するのを防止する効果のある手乾燥装置を提供できる。
【００３２】
また、水受け皿表面の左右に水抜き穴を形成するとともに、水受け皿表面の中心から水抜き穴まで傾斜面とすることにより、風の流れを外方に案内するとともに水受け皿の水滴が周辺に飛散するのを少なくできる効果のある手乾燥装置を提供できる。
【００３３】
また、水受け皿の前部突出壁の内側に突起帯を設け、吹出流と合流する方向に向くようにすることにより、水滴が水受け皿の表面に沿って前面の使用者側に飛散するのを防止するとともに、送風吹出ノズルの流れと合流する旋回流を生成して周囲に飛散する水滴量を低減できる効果のある手乾燥装置を提供できる。
【図面の簡単な説明】
【図１】本発明の実施例１〜実施例４の手乾燥装置を示す側断面図
【図２】同外観斜視図
【図３】同要部断面の正面図
【符号の説明】
２          フロントケース
２ａ        乾燥空間
３          水受け皿
４          送風手段
５          発熱手段
６          送風吹出ノズル
６ａ、６ｂ  はねかえり防止帯
７          突出壁
９          後面壁
１３        水抜き穴
２０        突起帯